(57)【要約】例えば無線通信端末のような、電力消費量に関連する異なるモードで動作可能であり、データ提示手段を含むバッテリー駆動電子機器であって、前記機器は、前記機器の動作中に現在の電力消費量を確定する電力消費量検出手段と、前記データ提示手段を介して確定した現在の電力消費量に依存するデータを提示する手段と、を備えることを特徴とするバッテリー駆動電子機器を提供する。通話モードやスタンバイモードのような所定の予測される使用方法に関するものではなく、現在の電力消費量の状態に関するデータを検出及び提示することにより、その機器のユーザによりよい制御が与えられ、それを最適な方法で、望ましくはより長いバッテリー時間で扱うことができる。
2005536172.tif 000002
【特許請求の範囲】
【請求項１】
電力消費量に関連する異なるモードで動作可能であり、データ提示手段を含むバッテリー駆動電子機器であって、
前記機器の動作中に現在の電力消費量を確定する電力消費量検出手段と、
前記データ提示手段を介して確定した現在の電力消費量に依存するデータを提示する手段と、
を備えることを特徴とする、バッテリー駆動電子機器。
【請求項２】
前記機器は、さらに、所定のスケールにおけるパラメータレベル値として、前記確定した電力消費量を表現するパラメータ値を示すレベルを計算する手段を備えることを特徴とする、請求項１に記載のバッテリー駆動電子機器。
【請求項３】
前記提示されたデータは、さらに、前記パラメータレベル値及び前記スケールにおける予め決められた値を含むことを特徴とする、請求項２に記載のバッテリー駆動電子機器。
【請求項４】
前記機器は、さらに、前記確定された現在の電力消費量に依存する残りのバッテリー時間を計算する手段を備えることを特徴とする、請求項１乃至３のいずれか１項に記載のバッテリー駆動電子機器。
【請求項５】
前記提示されたデータは、現在実行中のモードに依存する、前記計算された残りのバッテリー時間の提示を含むことを特徴とする、請求項４に記載のバッテリー駆動電子機器。
【請求項６】
前記データ提示手段は、ディスプレイを含むことを特徴とする、請求項１乃至５のいずれか１項に記載のバッテリー駆動電子機器。
【請求項７】
前記機器は、無線通信端末であることを特徴とする、請求項１乃至６のいずれか１項に記載のバッテリー駆動電子機器。
【請求項８】
マイクロプロセッサユニットと、データ提示手段と、を含むバッテリー駆動機器のためのコンピュータプログラム製品であって、
前記マイクロプロセッサユニットによって実行されると、前記マイクロプロセッサユニットが、前記機器の動作中に現在の電力消費量を検出し、検出された現在の電力消費量に依存するデータを前記データ提示手段を介して提示するようにするコンピュータプログラムコードを含むことを特徴とする、コンピュータプログラム製品。
【請求項９】
さらに、前記マイクロプロセッサユニットによって実行されると、前記マイクロプロセッサユニットが、所定のスケールにおけるパラメータレベル値として、前記検出された電力消費量を表現するパラメータ値を示すレベルを計算するようにするコンピュータプログラムコードを含むことを特徴とする、請求項８に記載のコンピュータプログラム製品。
【請求項１０】
さらに、前記マイクロプロセッサユニットによって実行されると、前記マイクロプロセッサユニットが、前記パラメータレベル値及び前記スケールにおける所定の最終値を提示するようにするコンピュータプログラムコードを含むことを特徴とする、請求項９に記載のコンピュータプログラム製品。
【請求項１１】
さらに、前記マイクロプロセッサユニットによって実行されると、前記マイクロプロセッサユニットが、前記検出した現在の電力消費量に依存する残りのバッテリー時間を計算するようにするコンピュータプログラムコードを含むことを特徴とする、請求項８乃至１０のいずれか１項に記載のコンピュータプログラム製品。
【請求項１２】
さらに、前記マイクロプロセッサユニットによって実行されると、前記マイクロプロセッサユニットが、前記現在実行中のモードに依存する前記計算された残りのバッテリー時間の提示を提示するようにするコンピュータプログラムコードを含むことを特徴とする、請求項１１に記載のコンピュータプログラム製品。
【請求項１３】
さらに、前記マイクロプロセッサユニットによって実行されると、前記マイクロプロセッサユニットが、ディスプレイ上の提示に影響を与えるようにするコンピュータプログラムコードを含むことを特徴とする、請求項８乃至１２のいずれか１項に記載のコンピュータプログラム製品。
【請求項１４】
さらに、前記バッテリー駆動機器は無線通信端末であることを特徴とする、請求項８乃至１３のいずれか１項に記載のコンピュータプログラム製品。
【発明の詳細な説明】
【技術分野】
【０００１】
本発明は概して、バッテリーのような電力供給源を備える電子機器、及び、電力消費量を視覚化及び制御してバッテリーが交換又は再充電を要するまでの駆動時間を最適化する方法に関する。しかし本発明は特に、携帯電話のような携帯機器に適する。
【背景技術】
【０００２】
従来、電子機器は有線コンセントのようなところからケーブルによって電力を供給されてきた。しかし、ラジオ受信機やテープレコーダー、おもちゃ、懐中電灯のような携帯機器には使い捨てのバッテリーが長い間使用されてきており、また、今日の携帯電子機器においては、専用の充電式バッテリーが明らかに優位を占めている。ラップトップコンピュータやビデオカメラ、パーソナルデジタルアシスタント（ＰＤＡ）、携帯電話のような先進的なデジタル機器は、バッテリー技術の飛躍的な進歩をもたらし、同時にその進歩に強く依存しているということは、広く受け入れられている。
【０００３】
充電式であろうとなかろうといかなるバッテリーも、電力を消費する環境において有限の持続時間がある。当然、長時間持続するほうがよい。電子機器が電源を入れられても活発に使用されないと、機器はスタンバイモードと呼ばれる状態にしばしばなる。スタンバイモードでは、電力消費量は一般的に極めて定常的かつ予測的である。もっとも、それは例えば温度変化やバッテリーの新しさにもよる。スタンバイ時に表される残りの推定持続時間はそれゆえ、予想されるスタンバイモード全持続時間からスタンバイモードで経過した時間を引くことにより、容易に計算されうる。スタンバイモード以外にも、多かれ少なかれ予測的に電力消費量と関連付けられる他のよく知られたモードが定義されており、そのモードでも残りの持続時間は同様の方法により計算されうる。例えばＧＳＭ(Global System for Mobile communications)のようないわゆる第２世代の携帯電話では、そのようなモードに通話モードがあり、そのモードでは携帯電話は携帯システム網の基地局とデータを送受信するために活発に使用される。それゆえ、第２世代携帯電話が十分に充電されたバッテリー状態から使用されうる全時間は、その機器の技術仕様としてスタンバイ時間及び通話時間の両方がしばしば示される。さらに、現在の残りスタンバイ時間及び通話時間に関する情報は一般的に機器のディスプレイ上に提示可能であり、バッテリーを再充電するまでの時間はユーザが予測可能である。
【０００４】
言うまでも無く、バッテリー電力の一部が消費されると、それぞれのモードにおける残りの使用可能な時間は減少し、さらに、当業者が気付くように、機器を使用可能な全時間は現在のスタンバイ時間と通話時間の合計ではない。さらに、言及した２つのモード（そのモードは一度に一方しか使用できない）以外にも、その機器の同時に使用されうる他の機能が、電力消費量及び再充電が必要になるまでのバッテリーの残りの全持続時間に影響を与える。そのような機能には、ゲームで遊ぶための機器の使用や、ラジオ受信機やＤＶＤドライブ、ＭＰ３プレーヤーなどのメディアプレーヤーの駆動がある。さらに、その機器は例えばBluetoothチップやIR受信機のような補助的な受信機を使用するように設定されたり、バックライト機能を備えるようにしてもよい。これらの機能又はそれ以外のいかなるものを使用しても、多かれ少なかれ一定の度合いで、明らかに電力消費量を増加させる。使用される機能のあらゆる組み合わせにおける残り時間を計算することは、不可能ではないにせよ、困難であり、これらの異なる組み合わせに対する残り時間を提供しても、あらゆる目的を果たすことは決してない。
【０００５】
その結果、異なる電力消費量のレベルを示す異なる方法やモードで動作しうる電子機器において、その機器のユーザがバッテリーがどれくらい長く持続するかを予測することはしばしば困難である。携帯電話の場合、上で分類した２つの異なるモードが、一般的にその機器の次の充電までの駆動時間として示されるもののすべてである。ユーザが機器を他の目的で動作させたり他の機能を使用すると、電力消費量が影響を受け、それゆえ、残りの駆動時間も影響を受ける。ほとんどの携帯電話では、バッテリーの残り電力は電話のマイクロプロセッサによって計算され、その結果、所定のモードのいずれかにおいて表現される残り時間が表示されうる。例え電話が、その所定のモードで定義されるものよりも多くの機能で動作させられる場合であっても同じである。しかし、計算を実行するソフトウェアは一般的に、例えばスタンバイ時間や通話時間における推定残り時間を再計算するために、現在の電力消費量をサンプリングして積算するためのいくらかの時間を必要とする。さらに、残り時間は最も一般的にはディスプレイ上の初期画面(default window)には表示されず、ある種のコマンドによって状態画面(status window)から取得しなければならない。これらすべての要素は、いつバッテリーが空になって再充電や交換が必要かについての適切な予測をユーザが行なうことを困難にするように働く。さらに、ユーザが経験する駆動時間はしばしば、見込まれるスタンバイ時間に由来するユーザの期待に合致しない。なぜなら、例え通話モードに入っていなくても、他の機能もまた使用されているからである。
【特許文献１】米国特許５２４８９２９号公報
【特許文献２】米国特許５９０３２５４号公報
【発明の開示】
【発明が解決しようとする課題】
【０００６】
本発明の目的はそれゆえ、残りバッテリー時間の制御に関して、従来技術において知られる方法よりも改良された制御でバッテリー駆動機器をユーザが動作させることを補助する方法を提供することである。
【課題を解決するための手段】
【０００７】
本発明の第１の特徴によれば、この目的は、電力消費量に関連する異なるモードで動作可能であり、データ提示手段を含むバッテリー駆動電子機器であって、前記機器は、前記機器の動作中に現在の電力消費量を確定する電力消費量検出手段と、前記データ提示手段を介して確定した現在の電力消費量に依存するデータを提示する手段と、を備えることを特徴とする、バッテリー駆動電子機器によって実現される。通話モードやスタンバイモードのような所定の予測される使用方法に関するものではなく、現在の電力消費量の状態に関するデータを検出及び提示することにより、その機器のユーザによりよい制御が与えられ、それを最適な方法で、望ましくはより長いバッテリー時間で扱うことができる。
【０００８】
一実施形態によれば、前記機器は、さらに、所定のスケールにおけるパラメータレベル値として、前記確定した電力消費量を表現するパラメータ値を示すレベルを計算する手段を備える。これによれば、異なるモードを表現する、使用する機能やサービスがバッテリー時間に与える影響についてほとんど又は全く知識のない素人にも、簡単に読めて理解できる表示を提供するという利点がある。望ましくは、前記提示されたデータは、さらに、前記パラメータレベル値及び前記スケールにおける予め決められた値を含む。これによれば、特に、前記予め決められた値が、例えば純粋な通話モードや、前記機器が動作可能な最も電力を要求するモードを示す最大消費量レベルに対応する場合に、さらに明らかなメッセージをユーザに与える。
【０００９】
一実施形態によれば、前記機器は、さらに、前記確定された現在の電力消費量に依存する残りのバッテリー時間を計算する手段を備える。こうして、現在実行中のモードに対する前記残り時間が確定されうる。望ましくはまた、前記提示されたデータは、現在実行中のモードに依存する、計算された残りのバッテリー時間の提示を含む。実際の時間の残りは、現在のモードが続くならば、このように便利にユーザに開示され、例えば通話時間やスタンバイ時間のような所定のモードの点から示される残り時間と比較可能である。
【００１０】
望ましくは、前記データ提示手段は、ディスプレイを含むが、スピーカも任意に又は加えて含めることができる。
【００１１】
本発明は、無線通信端末に適用されると特に利点がある。
【００１２】
本発明の第２の特徴によれば、本発明は前述の目的を、マイクロプロセッサユニットと、データ提示手段と、を含むバッテリー駆動機器のためのコンピュータプログラム製品であって、前記コンピュータプログラム製品は、前記マイクロプロセッサユニットによって実行されると、前記マイクロプロセッサユニットが、前記機器の動作中に現在の電力消費量を検出し、検出された現在の電力消費量に依存するデータを前記データ提示手段を介して提示するようにするコンピュータプログラムコードを含むことを特徴とする、コンピュータプログラム製品によって達成する。本発明のこの特徴の利点は、後述の詳細な実施形態と併せて、前述の本発明の第１の特徴における利点に対応する。
【００１３】
一実施形態によれば、前記コンピュータプログラム製品は、さらに、前記マイクロプロセッサユニットによって実行されると、前記マイクロプロセッサユニットが、所定のスケールにおけるパラメータレベル値として、前記検出された電力消費量を表現するパラメータ値を示すレベルを計算するようにするコンピュータプログラムコードを含む。望ましくは、前記コンピュータプログラム製品は、さらに、前記マイクロプロセッサユニットによって実行されると、前記マイクロプロセッサユニットが、前記パラメータレベル値及び前記スケールにおける所定の最終値を提示するようにするコンピュータプログラムコードを含む。
【００１４】
一実施形態によれば、前記コンピュータプログラム製品は、さらに、前記マイクロプロセッサユニットによって実行されると、前記マイクロプロセッサユニットが、前記検出した現在の電力消費量に依存する残りのバッテリー時間を計算するようにするコンピュータプログラムコードを含む。望ましくは、前記コンピュータプログラム製品は、さらに、前記マイクロプロセッサユニットによって実行されると、前記マイクロプロセッサユニットが、前記現在実行中のモードに依存する前記計算された残りのバッテリー時間の提示を提示するようにするコンピュータプログラムコードを含む。
【００１５】
望ましくは、前記コンピュータプログラム製品は、前記マイクロプロセッサユニットによって実行されると、前記マイクロプロセッサユニットが、ディスプレイ上の提示に影響を与えるようにするコンピュータプログラムコードを含む。スピーカーを介した提示も加えて又は任意に含みうるが。
【００１６】
好ましい実施形態において、前記コンピュータプログラム製品は、無線通信端末に実装される。
【００１７】
本発明の前記特徴と利点は、添付図面を参照する下記の好ましい実施形態の記載によってより一層明らかになる。
【発明を実施するための最良の形態】
【００１８】
図１は本発明が適用される機器の例を示す図であり、携帯通信端末１０の実施形態の場合、おおよそ標準的な外観の携帯電話のようなものである。携帯通信端末は無線局との無線通信をするためになされたすべての携帯装置を含み、その無線局はまた、携帯端末であってもよいし、例えば固定基地局であってもよい。その結果、携帯通信端末という言葉は携帯電話、ポケットベル、発信機、電子手帳、スマートフォン、ＰＤＡ(Personal Digital Assistance)、車載無線通信機器、例えばＷＬＡＮ(Wireless Loacal Area Network)における無線通信ができるようになされた携帯ラップトップコンピュータのようなものを含む。さらに、本発明におけるグラフィカルユーザインタフェースはそれ自体が無線の用途に限定されるものではないので、本発明は標準的なデスクトップコンピュータやテレビ受像機、ファックス装置のようなものにも適用可能であることに注意されたい。図１の端末１０は、シャーシ又はハウジング１１を含み、マイクロフォン１４の形でユーザの音声入力を伝え、スピーカ１５又はイヤフォン（不図示）の接続の形でユーザに音声出力を伝える。キーやボタンのようなものの組は、例えば従来技術に従ってダイアルするために使用可能なデータ入力インタフェース１３を構成する。データ出力インタフェースやデータ提示方法は、望ましくはグラフィカルユーザインタフェースの使用によって端末のユーザに通信情報を表示するようになされたディスプレイ１２を含む。アンテナ（不図示）がさらに、無線信号を伝達するために含まれる。
【００１９】
本発明における機器は少なくとも２つ、望ましくは多数の、異なる使用可能な機能を持つ。通信端末１０の実施形態では、そのような機器は音声通信に使用可能であるが、スタンバイモードになることもでき、そのモードでは端末は通信目的には活発に使用されていないが、それでもネットワークの基地局と連絡を取り合っている。今日のほとんどの携帯システムでは、通信は一般的に回線交換方式であり、基本的に通信中は１つ以上のチャネルが割り当てられ、端末とネットワークの接続によって占有される。他のシステムはパケット交換方式による通信、すなわち無線資源は通信中のみ使用されるという機能を提供するかもしれない。これら両方の種類の通信モードによる機能を持つ端末はそれゆえ、２つの異なる通信又はアクティブモードを持つ。さらに、BluetoothやIR受信機を含めば、さらに他のアクティブモードが提供される。他の機能、例えば組み込みゲームやメディアプレーヤーとレコーダー、照明機能、プリンタなどもまた、含まれうる。
【００２０】
通信がアクティブかどうか及びどの種類の通信機能が使用されているかに、また、同時に使用されている他の機能に依存して、機器の電力消費量は変化する。ここで、例えば本件の携帯電話における通話モードとスタンバイモードにおいて、モードという言葉はアクティブな状態であるかどうかを意味するだけではない。正確には、機器において同時に動作可能な機能のあらゆる組み合わせが関連する電力消費量を持つ個々のモードを定義する。例え特定のモードに関連付けられた電力消費量が唯一のものでも一定のものでもないかもしれないとしてもそのようにする。機器においてユーザが利用可能な機能が増えるほど、より多くの異なるモードが定義されうる。その結果、携帯電話のような電子機器において使用可能なサービスや機能が発達することに伴い、スタンバイモードか通話モードかを容易に定義されうる何らかの状態にユーザが実際におかれることはますます稀になり、むしろ、その間のどこかの電力消費量状態におかれる。端末のディスプレイ上に提示される予測されたバッテリーの残り時間はそれゆえ、必ずしも信頼できない。
【００２１】
本発明の実施形態によれば、機器の状態表示はそれゆえ、電力消費量ゲージを含む。図２は、ディスプレイ１２上に提示可能な、従来技術における無線通信端末の状態画面２１を描写する。前述のように、バッテリーの再充電が必要になるまでに残された予測時間が、スタンバイモード時間ｘと通話時間ｙで表現されている。
【００２２】
図３は一方、本発明の実施形態における状態表示を開示する。端末が動作している現在のモードに関わらず、バッテリーの現在の電力消費量が測定され、ディスプレイ上に表示される。電力消費量は例えばmA/sのような直接的な測定値で提示されてもよい。代わりに、描写されているように、消費は電力消費量標識(symbol)２２で提示されてもよい。そこには、所定のスケールや範囲におけるパラメータ値が示される。図３の例では、現在の電力消費量がＡからＢへのスケールで表示されており、現在のレベルは視覚的塗りつぶし効果(graphical filling effect)２３又は例えばカラースケールで与えられる。このスケールは例えばmA/sのような絶対的な値で与えられてもよいし、それほど詳細でない単位で与えられてもよい。一つの実施形態ではパーセントスケールが使用され、低いほうのレベルＡは０％を示し、一方、高いほうのスケールＢは１００％を示す。一つの使用可能な定義では、１００％は最も多い電力消費量を示す動作可能なモードを意味する最も要求の多いモードを示し、一方、０％はスタンバイモードを示す。この場合、通話モードは０％と１００％の間のどこかにあり、通話モードを表現する電力消費量の表示もまた、図示しないが、そのような実施形態におけるゲージバーで与えられうる。
【００２３】
さらに、図３に描写されるように、残り時間は現在使用されているモードの点から計算及び表現され、それは実際の時間(actual time)ｚとして状態画面に直接表示される。図３における図は、ゲージバー２２と実際の時間表示の両方を示しているが、他の実施形態ではこれらの一方のみを盛り込むこともできる。
【００２４】
図４の例は、従来技術における無線通信端末の初期画面４１を描写する。初期画面によって、ここでは端末ディスプレイに表示されているものは通信が行なわれていない、すなわちスタンバイモードであるということが示されている。この画面では、残りのバッテリー時間は直接的には与えられていないが、バッテリーの充電レベルを表現するバッテリー標識(symbol)４２によって、その表示はしばしば与えられる。
【００２５】
図５は、本発明の一実施形態を開示する。それによれば、電力消費量標識(symbol)４３がさらに、表示画面４１に含まれる。単に電力消費量を表現する異なる方法を示すことにより、電力消費量標識４３はこの図においてアナログ形式のゲージであり、カーソルは現在の電力消費量レベルを１８０°の極座標図で示す。電力消費量を初期画面４１に実装することにより、この情報は状態画面に移ることなく用いることができる。電力消費量標識はまた、例えば表示画面の下部や端部に常に表示されるようにも実装してもよい。電力消費量標識２２、４３をどのようにデザインするかに関する多数の方法を、当業者が考え出すことができることは極めて明白であり、実際のデザインは本発明において本質ではない。
【００２６】
現在の電力消費量の視覚的な描写(graphical illustration)の使用と、現在使用されているモードにおける残り時間の計算及び提示は共に、端末の使用者に、再充電まで、又は使い捨てバッテリーの場合バッテリーの交換まで、にその端末をどの程度の期間使用できると見込まれるかを示すのに役立つ。さらに重要なことに、電力消費量の直接的なフィードバックは、一般的に技術的観点からは素人である端末のユーザが、異なる機能やサービスの使用が全バッテリー時間にどのような影響を与えるかを理解することを容易にする。ある機能を開始したり終了したりすること、すなわち新しいモードに入ることによって、これが電力消費量及び結果としてバッテリー時間に与える影響は、ユーザが表示されるデータを見ることにより直ちに理解されるだろう。これにより、ユーザがどのようにすれば不必要にバッテリー時間を損なうことなく端末を最もよく使用できるかを理解することが容易になり、その結果、改良された電力消費量制御に至る。
【００２７】
図６は、バッテリー駆動電子機器に本発明を実装する制御システムを開示する。ディスプレイ１２は、通信的に(communicatively)マイクロプロセッサユニット６１に接続されており、マイクロプロセッサユニット６１は少なくともコンピュータプロセッサＣＰＵと内部メモリＭＥＭを含む。マイクロプロセッサユニットのハードウェアはさらに、例えばグラフィカルユーザインタフェースを使用することによってディスプレイ１２上に情報を提示することを扱うソフトウェアを含むコンピュータプログラム製品に関連付けられている。バッテリーＢＡＴは電力供給のために機器に接続することができる。マイクロプロセッサユニットはバッテリーＢＡＴからの電力供給接続に対する接続６２を持ち、バッテリーの残りの電力が確定されうる。スタンバイモードを含めて、機器が動作すると、マイクロプロセッサユニット及び機器の潜在的な他のパーツに電力を供給するために、バッテリーＢＡＴから電流が流れる。本発明によれば、マイクロプロセッサユニットはさらに、電力消費量検出手段を備え、基本的にバッテリーからの電流比率を検出する。図６における具体的な実施形態では、マイクロプロセッサユニットとして実装される機器のコントロールシステムの間に、充電レベル検出と消費電力量検出両方のために、ただ１つの接続６２が描写されているだけである。しかし、当業者であれば、同様の機能を提供するには他の構成でも実装されうることが分かる。本発明によれば、コンピュータプログラム製品は、マイクロプロセッサユニット６１のメモリＭＥＭに格納されうるコンピュータプログラムコードを含み、マイクロプロセッサユニットによって実行されるとそれは、図３乃至図５に関連して示された内容によれば、ディスプレイ１２上に検出した現在の電力消費量に依存するデータをマイクロプロセッサユニットが提示するようにする(trigger)。前記データは例えば電流の純粋な測定値すなわち電力消費量であってもよい。それはまた、現在使用されているモードにおける残りのバッテリー時間についての計算された値であってもよい。提示されるデータはまた、所定のスケールにおけるパラメータレベル値としての検出された電力消費量を表現するパラメータ値を計算することにより得られた、レベル表示(level indication)であってもよい。
【００２８】
上述したことは、ディスプレイとしてのデータ提示方法に関するものであったが、他の実施形態として、前記データの提示方法はスピーカ１５を含み、ここで定義される電力消費量に関連する情報の表現は、音声によって伝達される。
【００２９】
前述のように、本発明の原理、望ましい実施形態、そして動作のモードについて説明した。しかし、上述の実施形態は限定的ではなく例示的なものと見なされるべきであり、後述の特許請求の範囲によって定義される本発明の要旨を逸脱しない範囲で、多様な変形例が問う業者によってこれらの実施形態の中でなされうるということが認識されるべきである。
【図面の簡単な説明】
【００３０】
【図１】本発明を適用可能な携帯通信端末の第１の実施形態を概略的に描写する図である。
【図２】図１の端末におけるユーザインタフェース上の表示画面の異なる実施形態を概略的に描写する図である。
【図３】図１の端末におけるユーザインタフェース上の表示画面の異なる実施形態を概略的に描写する図である。
【図４】図１の端末におけるユーザインタフェース上の表示画面の異なる実施形態を概略的に描写する図である。
【図５】図１の端末におけるユーザインタフェース上の表示画面の異なる実施形態を概略的に描写する図である。
【図６】本発明の実施形態における電力消費量の検出と提示に関する、一例としてのシステムを描写する図である。
【図１】
2005536172.tif 000003
【図２】
2005536172.tif 000004
【図３】
2005536172.tif 000005
【図４】
2005536172.tif 000006
【図５】
2005536172.tif 000007
【図６】
2005536172.tif 000008
【手続補正書】
【提出日】平成16年7月12日(2004.7.12)
【手続補正１】
【補正対象書類名】特許請求の範囲
【補正対象項目名】全文
【補正方法】変更
【補正の内容】
【特許請求の範囲】
【請求項１】
電力消費量に関連する異なるモードで動作可能であり、データ提示手段と、機器の動作中に現在の電力消費量を確定する電力消費量検出手段と、前記データ提示手段を介して確定した現在の電力消費量に依存するデータを提示する手段と、を含むバッテリー駆動電子機器であって、前記機器は、
所定のスケールにおける消費量レベルとして、前記確定した電力消費量を表現するパラメータ値を示すレベルを計算する手段を備え、
前記提示されたデータは、前記スケールにおける前記消費量レベルの提示を含むことを特徴とする、バッテリー駆動電子機器。
【請求項２】
前記提示されたデータは、さらに、パラメータ値及び前記スケールにおける予め決められた値を示す前記レベルを含むことを特徴とする、請求項１に記載のバッテリー駆動電子機器。
【請求項３】
前記機器は、さらに、前記確定された現在の電力消費量に依存する残りのバッテリー時間を計算する手段を備えることを特徴とする、請求項１又は２に記載のバッテリー駆動電子機器。
【請求項４】
前記提示されたデータは、現在実行中のモードに依存する、前記計算された残りのバッテリー時間の提示を含むことを特徴とする、請求項３に記載のバッテリー駆動電子機器。
【請求項５】
前記データ提示手段は、ディスプレイを含むことを特徴とする、請求項１乃至４のいずれか１項に記載のバッテリー駆動電子機器。
【請求項６】
前記機器は、無線通信端末であることを特徴とする、請求項１乃至５のいずれか１項に記載のバッテリー駆動電子機器。
【請求項７】
マイクロプロセッサユニットと、データ提示手段と、を含むバッテリー駆動機器のためのコンピュータプログラム製品であって、前記コンピュータプログラム製品は、前記マイクロプロセッサユニットによって実行されると、前記マイクロプロセッサユニットが、
前記機器の動作中に現在の電力消費量を検出し、
所定のスケールにおける消費量レベルとして、前記検出された現在の電力消費量を表現するパラメータ値を示すレベルを計算し、
前記データ提示手段によって、前記スケールにおける前記消費量レベルの提示を提示する、
ようにするコンピュータプログラムコードを含むことを特徴とする、コンピュータプログラム製品。
【請求項８】
さらに、前記マイクロプロセッサユニットによって実行されると、前記マイクロプロセッサユニットが、パラメータ値を示す前記レベル及び前記スケールにおける所定の最終値を、前記提示手段を介して提示するようにするコンピュータプログラムコードを含むことを特徴とする、請求項７に記載のコンピュータプログラム製品。
【請求項９】
さらに、前記マイクロプロセッサユニットによって実行されると、前記マイクロプロセッサユニットが、前記検出した現在の電力消費量に依存する残りのバッテリー時間を計算するようにするコンピュータプログラムコードを含むことを特徴とする、請求項７又は８に記載のコンピュータプログラム製品。
【請求項１０】
さらに、前記マイクロプロセッサユニットによって実行されると、前記マイクロプロセッサユニットが、前記現在実行中のモードに依存する前記計算された残りのバッテリー時間の提示を提示するようにするコンピュータプログラムコードを含むことを特徴とする、請求項９に記載のコンピュータプログラム製品。
【請求項１１】
さらに、前記マイクロプロセッサユニットによって実行されると、前記マイクロプロセッサユニットが、ディスプレイ上の提示に影響を与えるようにするコンピュータプログラムコードを含むことを特徴とする、請求項７乃至１０のいずれか１項に記載のコンピュータプログラム製品。
【請求項１２】
前記バッテリー駆動機器は無線通信端末であることを特徴とする、請求項７乃至１１のいずれか１項に記載のコンピュータプログラム製品。
【手続補正２】
【補正対象書類名】明細書
【補正対象項目名】００２２
【補正方法】変更
【補正の内容】
【００２２】
図３はしかし、本発明の実施形態における状態表示を開示する。端末が動作している現在のモードに関わらず、バッテリーの現在の電力消費量が測定され、ディスプレイ上に表示される。電力消費量は例えばmAのような直接的な測定値で提示されてもよい。代わりに、描写されているように、消費は電力消費量標識(symbol)２２で提示されてもよい。そこには、所定のスケールや範囲におけるパラメータ値が示される。図３の例では、現在の電力消費量がＡからＢへのスケールで表示されており、現在のレベルは視覚的塗りつぶし効果(graphical filling effect)２３又は例えばカラースケールで与えられる。このスケールは例えばmAのような絶対的な値で与えられてもよいし、それほど詳細でない単位で与えられてもよい。一つの実施形態ではパーセントスケールが使用され、低いほうのレベルＡは０％を示し、一方、高いほうのスケールＢは１００％を示す。一つの使用可能な定義では、１００％は最も多い電力消費量を示す動作可能なモードを意味する最も要求の多いモードを示し、一方、０％はスタンバイモードを示す。この場合、通話モードは０％と１００％の間のどこかにあり、通話モードを表現する電力消費量の表示もまた、図示しないが、そのような実施形態におけるゲージバーで与えられうる。


【国際調査報告】
2005536172.tif 000009
2005536172.tif 000010